(57)【要約】【課題】フェムトセル基地局が移動通信装置に滞在する権限を与える方法、そのフェムトセル基地局およびプロセッサ読取可能媒体を提供する。【解決手段】移動通信装置権限リストを構築するステップ（Ｓ１）と、移動通信装置と接続した後、コアネットワークが移動通信装置に識別要求ＮＡＳメッセージを送信するシミュレーションを行い、移動通信装置に移動通信装置の識別番号を含む識別応答ＮＡＳメッセージをフィードバックさせるステップ（Ｓ２）と、移動通信装置から送信された移動通信装置の識別番号を含む識別応答ＮＡＳメッセージに基づき、移動通信装置権限リスト内から、移動通信装置がフィードバックした識別番号に符合する識別内容を取得した後、移動通信装置から取得した初期直接伝送メッセージをコアネットワークに送信し、移動通信装置にコアネットワークから必要なサービスを受ける権限を与えるステップ（Ｓ３）とを含む。【選択図】図３
2011217338.tif 000002
【特許請求の範囲】
【請求項１】
コアネットワーク、フェムトセル基地局および移動通信装置によって構築される通信ネットワーク中に応用される、フェムトセル基地局が移動通信装置に滞在する権限を与える方法であって、前記方法は、
（１）移動通信装置権限リストを構築するステップと、
（２）移動通信装置と接続した後、前記コアネットワークが前記移動通信装置に識別要求ＮＡＳメッセージを送信するシミュレーションを行い、前記移動通信装置に前記移動通信装置の識別番号を含む識別応答ＮＡＳメッセージをフィードバックさせるステップと、
（３）前記移動通信装置から送信された前記移動通信装置の識別番号を含む識別応答ＮＡＳメッセージに基づき、前記移動通信装置権限リスト内から、前記移動通信装置がフィードバックした識別番号に符合する識別内容を取得した後、前記移動通信装置から取得した初期直接伝送メッセージを前記コアネットワークに送信し、前記移動通信装置に前記コアネットワークから必要なサービスを受ける権限を与えるステップと、を含むことを特徴とするフェムトセル基地局が移動通信装置に滞在する権限を与える方法。
【請求項２】
前記ステップ（２）は、
（２−１）前記移動通信装置から送信された接続要求メッセージを受信するステップと、
（２−２）受信した前記接続要求メッセージに基づき、前記移動通信装置に接続設定メッセージを送信し、前記移動通信装置に接続完了メッセージをフィードバックさせ、前記移動通信装置と接続するステップと、をさらに含むことを特徴とする請求項１記載のフェムトセル基地局が移動通信装置に滞在する権限を与える方法。
【請求項３】
前記ステップ（２−１）において、前記移動通信装置から送信された接続要求メッセージ内に前記移動通信装置の識別番号を含む場合、前記接続要求メッセージ内の識別番号に基づき、前記移動通信装置権限リスト内から、前記接続要求メッセージ内の識別番号に符合する識別内容を取得した後、前記移動通信装置から取得した初期直接伝送メッセージを前記コアネットワークに送信し、前記移動通信装置に前記コアネットワークから必要なサービスを受ける権限を与えることを特徴とする請求項２記載のフェムトセル基地局が移動通信装置に滞在する権限を与える方法。
【請求項４】
前記移動通信装置から送信された前記移動通信装置の識別番号を含む識別応答ＮＡＳメッセージに基づき、前記移動通信装置権限リスト内から、前記移動通信装置からフィードバックされた識別番号に符合する識別内容が取得されない場合、前記移動通信装置に接続拒否メッセージを送信し、前記接続拒否メッセージを受信した前記移動通信装置は、他のフェムトセル基地局によって提供される通信カバレッジを新たに選択する上、前記ステップ（２）を実行し、前記他のフェムトセル基地局に対し、滞在処理ステップを試みることを特徴とする請求項１または２記載のフェムトセル基地局が移動通信装置に滞在する権限を与える方法。
【請求項５】
前記接続拒否メッセージは、ネットワーク混雑メッセージであることを特徴とする請求項４記載のフェムトセル基地局が移動通信装置に滞在する権限を与える方法。
【請求項６】
前記ステップ（２−２）において、前記移動通信装置は、前記接続設定メッセージを受信した後、前記フェムトセル基地局に前記初期直接伝送メッセージをフィードバックし、前記フェムトセル基地局は、フィードバックされた前記初期直接伝送メッセージを一時記憶し、前記ステップ（３）において、前記移動通信装置に前記コアネットワークから必要なサービスを受ける権限を与える前に、一時記憶した前記初期直接伝送メッセージを前記コアネットワークに送信することを特徴とする請求項２記載のフェムトセル基地局が移動通信装置に滞在する権限を与える方法。
【請求項７】
前記ステップ（３）において、前記移動通信装置から送信された前記移動通信装置の識別番号を含む識別応答ＮＡＳメッセージに基づき、前記移動通信装置権限リスト内から、前記移動通信装置からフィードバックされた識別番号に符合する識別内容が取得されない場合、前記フェムトセル基地局は、一時記憶した前記初期直接伝送メッセージを消去することを特徴とする請求項６記載のフェムトセル基地局が移動通信装置に滞在する権限を与える方法。
【請求項８】
コアネットワーク、フェムトセル基地局および移動通信装置によって構築される通信ネットワーク中に応用されるフェムトセル基地局が移動通信装置に滞在する権限を与える方法であって、前記方法は、
（１）移動通信装置権限リストを構築するステップと、
（２）前記移動通信装置から送信された前記移動通信装置の識別番号を含む接続要求メッセージに基づき、前記移動通信装置権限リスト内から、前記接続要求メッセージの識別番号に符合する識別内容を取得した後、前記移動通信装置から取得した初期直接伝送メッセージを前記コアネットワークに送信し、前記移動通信装置に前記コアネットワークから必要なサービスを受ける権限を与えるステップと、を含むことを特徴とするフェムトセル基地局が移動通信装置に滞在する権限を与える方法。
【請求項９】
前記移動通信装置から送信された前記移動通信装置の識別番号を含む識別応答ＮＡＳメッセージに基づき、前記移動通信装置権限リスト内から、前記移動通信装置からフィードバックされた識別番号に符合する識別内容が取得されない場合、前記フェムトセル基地局は、前記移動通信装置に接続拒否メッセージを送信し、前記接続拒否メッセージを受信した前記移動通信装置は、他のフェムトセル基地局によって提供される通信カバレッジを新たに選択する上、前記ステップ（２）を実行し、前記他のフェムトセル基地局に対し、滞在処理ステップを試みることを特徴とする請求項８記載のフェムトセル基地局が移動通信装置に滞在する権限を与える方法。
【請求項１０】
前記接続拒否メッセージは、ネットワーク混雑メッセージであることを特徴とする請求項９記載のフェムトセル基地局が移動通信装置に滞在する権限を与える方法。
【請求項１１】
前記ステップ（２）において、前記移動通信装置が送信した前記接続要求メッセージを受信した後、前記移動通信装置に接続設定メッセージを送信し、前記移動通信装置に、前記接続設定メッセージを受信した後、接続設定完了メッセージおよび初期直接伝送メッセージをフィードバックさせることを特徴とする請求項８記載のフェムトセル基地局が移動通信装置に滞在する権限を与える方法。
【請求項１２】
メモリユニットおよびプロセッサを含むフェムトセル基地局であって、
前記フェムトセル基地局は、移動通信装置に対し、滞在する権限の有無を判断し、前記移動通信装置が前記フェムトセル基地局によって提供される通信カバレッジに滞在するのを拒否するか、或いは、前記移動通信装置に前記通信カバレッジに滞在する権限を与え、
前記メモリユニットには、識別内容を含む移動通信装置権限リストが記憶され、前記識別内容が符合する移動通信装置には、前記フェムトセル基地局に滞在する権限が与えられ、
前記プロセッサは、受信した前記移動通信装置が送信した接続要求メッセージに基づき、前記移動通信装置と接続し、また、コアネットワークが、接続する前記移動通信装置に識別要求ＮＡＳメッセージを送信するシミュレーションを行い、前記移動通信装置からフィードバックされた前記移動通信装置の識別番号を含む識別応答ＮＡＳメッセージを受信し、また、前記識別番号に基づき、前記移動通信装置権限リスト内に符合する識別内容があるか否かを検索し、前記移動通信装置からフィードバックされた識別番号に符合する識別内容が検索されたとき、前記移動通信装置に前記通信カバレッジに滞在する権限を与え、前記移動通信装置からフィードバックされた識別番号に符合する識別内容が検索されない場合、前記移動通信装置が前記通信カバレッジに滞在するのを拒否することを特徴とするフェムトセル基地局。
【請求項１３】
接続した前記移動通信装置から提供された初期直接伝送メッセージが一時記憶されるバッファをさらに含むことを特徴とする請求項１２記載のフェムトセル基地局。
【請求項１４】
前記プロセッサは、前記移動通信装置に前記通信カバレッジに滞在する権限を与えるとき、前記移動通信装置に必要なサービスを提供する前記コアネットワークに、前記初期直接伝送メッセージを送信し、前記移動通信装置が前記通信カバレッジに滞在するのを拒否するとき、前記初期直接伝送メッセージを消去することを特徴とする請求項１３記載のフェムトセル基地局。
【請求項１５】
プロセッサが実行可能なコマンドを含むプロセッサ読取可能媒体であって、
前記コマンドは、コアネットワーク、フェムトセル基地局および移動通信装置を含んで構築される通信ネットワーク内での操作に使用され、前記フェムトセル基地局が前記移動通信装置に前記フェムトセル基地局によって提供される通信カバレッジに滞在する権限を与えるのに使用され、前記フェムトセル基地局内には、前記フェムトセル基地局に滞在する権限を与える移動通信装置権限リストが構築され、前記フェムトセル基地局と前記移動通信装置とが接続された後、前記コマンドにより、前記フェムトセル基地局は、
（１）前記コアネットワークが前記移動通信装置に識別要求ＮＡＳメッセージを送信するシミュレーションを行い、前記移動通信装置が前記識別要求ＮＡＳメッセージに基づいてフィードバックした前記移動通信装置の識別番号を含む識別応答ＮＡＳメッセージを受信するステップと、
（２）前記移動通信装置権限リスト内に、前記移動通信装置からフィードバックされた識別番号に符合する識別内容があるか否かを検索し、前記移動通信装置からフィードバックされた識別番号に符合する識別内容が検索されたとき、前記コアネットワークに前記移動通信装置から取得した初期直接伝送メッセージを送信し、前記移動通信装置に前記コアネットワークから必要なサービスを受ける権限を与え、前記移動通信装置からフィードバックされた識別番号に符合する識別内容が検索されない場合、前記移動通信装置に接続拒否メッセージを送信するステップと、を実行することを特徴とするプロセッサ読取可能媒体。
【請求項１６】
前記フェムトセル基地局と移動通信装置とを接続する処理ステップにおいて、前記コマンドにより、前記フェムトセル基地局は、
前記移動通信装置が送信した前記接続要求メッセージを受信し、受信した前記接続要求メッセージに基づき、前記移動通信装置に接続設定メッセージを送信し、前記移動通信装置からフィードバックされた接続設定完了メッセージを受信した後、前記移動通信装置と接続するステップを実行することを特徴とする請求項１５記載のプロセッサ読取可能媒体。
【請求項１７】
前記フェムトセル基地局と前記移動通信装置とが接続された後、前記コマンドにより、前記フェムトセル基地局は、
前記移動通信装置からフィードバックされた初期直接伝送メッセージを受信して一時記憶し、前記ステップ（２）において、前記移動通信装置権限リスト内から、前記移動通信装置からフィードバックされた識別番号に符合する識別内容が検索されたとき、前記コアネットワークに、一時記憶した前記初期直接伝送メッセージを送信し、前記移動通信装置に前記フェムトセル基地局によって提供される通信カバレッジを通じ、前記コアネットワークから必要なサービスを受ける権限を与えるステップを実行することを特徴とする請求項１６記載のプロセッサ読取可能媒体。
【請求項１８】
前記フェムトセル基地局が前記移動通信装置からフィードバックされた初期直接伝送メッセージを受信して一時記憶した後、前記コマンドにより、前記フェムトセル基地局は、符合する識別内容が取得されない場合、一時記憶した前記初期直接伝送メッセージを消去するステップを実行することを特徴とする請求項１７記載のプロセッサ読取可能媒体。
【請求項１９】
プロセッサが実行可能なコマンドを含むプロセッサ読取可能媒体であって、
前記コマンドは、コアネットワーク、フェムトセル基地局および移動通信装置を含んで構築される通信ネットワーク内での操作に使用され、前記フェムトセル基地局が前記移動通信装置に前記フェムトセル基地局によって提供される通信カバレッジに滞在する権限を与えるのに使用され、前記フェムトセル基地局内には、前記フェムトセル基地局に滞在する権限を与える移動通信装置権限リストが構築され、前記コマンドにより、前記フェムトセル基地局は、
（１）前記移動通信装置が送信した前記移動通信装置の識別番号を含む接続要求メッセージを受信するステップと、
（２）前記移動通信装置権限リスト内に、前記移動通信装置からフィードバックされた識別番号に符合する識別内容があるか否かを検索し、前記移動通信装置からフィードバックされた識別番号に符合する識別内容が検索されたとき、前記コアネットワークに前記移動通信装置から取得した初期直接伝送メッセージを送信し、前記移動通信装置に前記コアネットワークから必要なサービスを受ける権限を与え、前記移動通信装置からフィードバックされた識別番号に符合する識別内容が検索されない場合、前記移動通信装置に接続拒否メッセージを送信するステップと、を実行することを特徴とするプロセッサ読取可能媒体。
【請求項２０】
前記フェムトセル基地局は、前記移動通信装置から送信された前記移動通信装置の識別番号を含む接続要求メッセージを受信した後、前記コマンドにより、
前記移動通信装置に接続設定メッセージを送信し、前記移動通信装置から、接続設定完了メッセージおよび前記初期直接伝送メッセージがフィードバックされるのを待つステップを実行することを特徴とする請求項１９記載のプロセッサ読取可能媒体。
【発明の詳細な説明】
【技術分野】
【０００１】
本発明は、無線通信エリア内に移動通信装置を滞在させる技術に関し、特に、フェムトセル基地局が移動通信装置に滞在する権限を与える方法、そのフェムトセル基地局およびプロセッサ読取可能媒体に関する。
【背景技術】
【０００２】
ビルの密集度が高まり、建物内で移動通信を行うユーザが増加する中、室内領域には、ネットワークの電波が届きにくい。しかし、フェムトセル（Ｆｅｍｔｏｃｅｌｌ）基地局は、移動通信ネットワークのカバレッジを拡張できるため、前述の室内領域に電波が届きにくいという問題を解決することができる。
【０００３】
実際の応用では、移動通信装置が、あるフェムトセル基地局によって提供される通信カバレッジに進入し、通信カバレッジの信号品質を選択可能なものであると判断したとき、通信カバレッジに滞在する処理要求を送信する。しかし、滞在する権限を有する移動通信装置またはユーザのみが当該フェムトセル基地局によって提供される通信カバレッジに滞在でき、通信カバレッジを通じ、コアネットワークから必要なサービスを受けることができる。このため、フェムトセル基地局は、応用上、当該フェムトセル基地局によって提供される通信カバレッジ内への滞在を試みる移動通信装置が、滞在する権限を有するものであるか否かを判断する上、滞在する権限を有さない移動通信装置を拒否するメカニズムが必要である。
【０００４】
従来技術においては、通常、以下に示す２種類の方式によって、あるフェムトセル基地局によって提供される通信カバレッジへの滞在を試みる移動通信装置が、滞在する権限を有するユーザであるか否かを判断する。
【０００５】
１．ＣＳＧ（Ｃｌｏｓｅｄ  Ｓｕｂｓｃｒｉｂｅｒ  Ｇｒｏｕｐｓ）を利用した方式。ＣＳＧ方式では、フェムトセル基地局が送信するメッセージ内にＣＳＧの情報を付帯させ、当該フェムトセル基地局によって提供される通信カバレッジ内では、ＣＳＧに参与する移動通信装置にしか滞在する権限を与えないことを通知する。ＣＳＧに属さない移動通信装置がこの情報を受信したとき、当該通信カバレッジへの滞在を試みない。しかし、この方式は、Ｒｅｌｅａｓｅ８およびそれ以降のバージョンに対応する移動通信装置にしか適用されない。即ち、それ以前に生産されたＲｅｌｅａｓｅ５、Ｒｅｌｅａｓｅ６およびＲｅｌｅａｓｅ７の移動通信装置では、この方式を採用することができない。
【０００６】
２．フェムトセル基地局内に、当該フェムトセル基地局によって提供される通信カバレッジ内に滞在することができる移動通信装置の標識を記録する方式。この方式では、ある移動通信装置が通信カバレッジ内への滞在を試みたとき、フェムトセル基地局が処理過程において、移動通信装置が滞在する権限を有するユーザでないことを発見した場合、対応する拒否メッセージを送信し、移動通信装置に滞在失敗を通知する。この方法は、ある状況（例えば、移動通信装置がＰ−ＴＭＳＩまたはＴＭＳＩを通じて滞在を行う）の下、フェムトセル基地局が、移動通信装置が滞在する権限を有するユーザでないことを発見したとき、すでに滞在処理過程の最終段階であるため、すでに、当該フェムトセル基地局によって提供される通信カバレッジ内に滞在するのに失敗したにもかかわらず、コアネットワークが、移動通信装置がすでに滞在に成功したと判断し、矛盾した状況が発生するため、通信が中断されてしまうという欠点を有する。
【０００７】
そのため、上述の欠点を解決できる、移動通信装置がフェムトセル基地局によって提供される通信カバレッジに滞在する技術が求められていた。
【発明の概要】
【発明が解決しようとする課題】
【０００８】
本発明の目的は、移動通信装置がフェムトセル基地局によって提供される通信カバレッジへの滞在を試みる処理過程において、ネットワーク資源を節約できる上、滞在する権限を有さないユーザに対して拒否を行う時間を短縮することができる、フェムトセル基地局が移動通信装置に滞在する権限を与える方法、そのフェムトセル基地局およびプロセッサ読取可能媒体を提供することにある。
【課題を解決するための手段】
【０００９】
上記課題を解決するために、本発明の第１の形態によれば、コアネットワーク、フェムトセル基地局および移動通信装置によって構築される通信ネットワーク中に応用される、フェムトセル基地局が移動通信装置に滞在する権限を与える方法であって、前記方法は、（１）移動通信装置権限リストを構築するステップと、（２）移動通信装置と接続した後、前記コアネットワークが前記移動通信装置に識別要求ＮＡＳメッセージを送信するシミュレーションを行い、前記移動通信装置に前記移動通信装置の識別番号を含む識別応答ＮＡＳメッセージをフィードバックさせるステップと、（３）前記移動通信装置から送信された前記移動通信装置の識別番号を含む識別応答ＮＡＳメッセージに基づき、前記移動通信装置権限リスト内から、前記移動通信装置がフィードバックした識別番号に符合する識別内容を取得した後、前記移動通信装置から取得した初期直接伝送メッセージを前記コアネットワークに送信し、前記移動通信装置に前記コアネットワークから必要なサービスを受ける権限を与えるステップと、を含むことを特徴とするフェムトセル基地局が移動通信装置に滞在する権限を与える方法が提供される。
【００１０】
また、前記ステップ（２）は、（２−１）前記移動通信装置から送信された接続要求メッセージを受信するステップと、（２−２）受信した前記接続要求メッセージに基づき、前記移動通信装置に接続設定メッセージを送信し、前記移動通信装置に接続完了メッセージをフィードバックさせ、前記移動通信装置と接続するステップと、をさらに含むことが好ましい。
【００１１】
また、前記ステップ（２−１）において、前記移動通信装置から送信された接続要求メッセージ内に前記移動通信装置の識別番号を含む場合、前記接続要求メッセージ内の識別番号に基づき、前記移動通信装置権限リスト内から、前記接続要求メッセージ内の識別番号に符合する識別内容を取得した後、前記移動通信装置から取得した初期直接伝送メッセージを前記コアネットワークに送信し、前記移動通信装置に前記コアネットワークから必要なサービスを受ける権限を与えることが好ましい。
【００１２】
また、前記移動通信装置から送信された前記移動通信装置の識別番号を含む識別応答ＮＡＳメッセージに基づき、前記移動通信装置権限リスト内から、前記移動通信装置からフィードバックされた識別番号に符合する識別内容が取得されない場合、前記移動通信装置に接続拒否メッセージを送信し、前記接続拒否メッセージを受信した前記移動通信装置は、他のフェムトセル基地局によって提供される通信カバレッジを新たに選択する上、前記ステップ（２）を実行し、前記他のフェムトセル基地局に対し、滞在処理ステップを試みることが好ましい。
【００１３】
また、前記接続拒否メッセージは、ネットワーク混雑メッセージであることが好ましい。
【００１４】
また、前記ステップ（２−２）において、前記移動通信装置は、前記接続設定メッセージを受信した後、前記フェムトセル基地局に前記初期直接伝送メッセージをフィードバックし、前記フェムトセル基地局は、フィードバックされた前記初期直接伝送メッセージを一時記憶し、前記ステップ（３）において、前記移動通信装置に前記コアネットワークから必要なサービスを受ける権限を与える前に、一時記憶した前記初期直接伝送メッセージを前記コアネットワークに送信することが好ましい。
【００１５】
また、前記ステップ（３）において、前記移動通信装置から送信された前記移動通信装置の識別番号を含む識別応答ＮＡＳメッセージに基づき、前記移動通信装置権限リスト内から、前記移動通信装置からフィードバックされた識別番号に符合する識別内容が取得されない場合、前記フェムトセル基地局は、一時記憶した前記初期直接伝送メッセージを消去することが好ましい。
【００１６】
上記課題を解決するために、本発明の第２の形態によれば、コアネットワーク、フェムトセル基地局および移動通信装置によって構築される通信ネットワーク中に応用されるフェムトセル基地局が移動通信装置に滞在する権限を与える方法であって、前記方法は、（１）移動通信装置権限リストを構築するステップと、（２）前記移動通信装置から送信された前記移動通信装置の識別番号を含む接続要求メッセージに基づき、前記移動通信装置権限リスト内から、前記接続要求メッセージの識別番号に符合する識別内容を取得した後、前記移動通信装置から取得した初期直接伝送メッセージを前記コアネットワークに送信し、前記移動通信装置に前記コアネットワークから必要なサービスを受ける権限を与えるステップと、を含むことを特徴とするフェムトセル基地局が移動通信装置に滞在する権限を与える方法が提供される。
【００１７】
また、前記移動通信装置から送信された前記移動通信装置の識別番号を含む識別応答ＮＡＳメッセージに基づき、前記移動通信装置権限リスト内から、前記移動通信装置からフィードバックされた識別番号に符合する識別内容が取得されない場合、前記フェムトセル基地局は、前記移動通信装置に接続拒否メッセージを送信し、前記接続拒否メッセージを受信した前記移動通信装置は、他のフェムトセル基地局によって提供される通信カバレッジを新たに選択する上、前記ステップ（２）を実行し、前記他のフェムトセル基地局に対し、滞在処理ステップを試みることが好ましい。
【００１８】
また、前記接続拒否メッセージは、ネットワーク混雑メッセージであることが好ましい。
【００１９】
また、前記ステップ（２）において、前記移動通信装置が送信した前記接続要求メッセージを受信した後、前記移動通信装置に接続設定メッセージを送信し、前記移動通信装置に、前記接続設定メッセージを受信した後、接続設定完了メッセージおよび初期直接伝送メッセージをフィードバックさせることが好ましい。
【００２０】
上記課題を解決するために、本発明の第３の形態によれば、メモリユニットおよびプロセッサを含むフェムトセル基地局であって、前記フェムトセル基地局は、移動通信装置に対し、滞在する権限の有無を判断し、前記移動通信装置が前記フェムトセル基地局によって提供される通信カバレッジに滞在するのを拒否するか、或いは、前記移動通信装置に前記通信カバレッジに滞在する権限を与え、前記メモリユニットには、識別内容を含む移動通信装置権限リストが記憶され、前記識別内容が符合する移動通信装置には、前記フェムトセル基地局に滞在する権限が与えられ、前記プロセッサは、受信した前記移動通信装置が送信した接続要求メッセージに基づき、前記移動通信装置と接続し、また、コアネットワークが、接続する前記移動通信装置に識別要求ＮＡＳメッセージを送信するシミュレーションを行い、前記移動通信装置からフィードバックされた前記移動通信装置の識別番号を含む識別応答ＮＡＳメッセージを受信し、また、前記識別番号に基づき、前記移動通信装置権限リスト内に符合する識別内容があるか否かを検索し、前記移動通信装置からフィードバックされた識別番号に符合する識別内容が検索されたとき、前記移動通信装置に前記通信カバレッジに滞在する権限を与え、前記移動通信装置からフィードバックされた識別番号に符合する識別内容が検索されない場合、前記移動通信装置が前記通信カバレッジに滞在するのを拒否することを特徴とするフェムトセル基地局が提供される。
【００２１】
また、接続した前記移動通信装置から提供された初期直接伝送メッセージが一時記憶されるバッファをさらに含むことが好ましい。
【００２２】
また、前記プロセッサは、前記移動通信装置に前記通信カバレッジに滞在する権限を与えるとき、前記移動通信装置に必要なサービスを提供する前記コアネットワークに、前記初期直接伝送メッセージを送信し、前記移動通信装置が前記通信カバレッジに滞在するのを拒否するとき、前記初期直接伝送メッセージを消去することが好ましい。
【００２３】
上記課題を解決するために、本発明の第４の形態によれば、プロセッサが実行可能なコマンドを含むプロセッサ読取可能媒体であって、前記コマンドは、コアネットワーク、フェムトセル基地局および移動通信装置を含んで構築される通信ネットワーク内での操作に使用され、前記フェムトセル基地局が前記移動通信装置に前記フェムトセル基地局によって提供される通信カバレッジに滞在する権限を与えるのに使用され、前記フェムトセル基地局内には、前記フェムトセル基地局に滞在する権限を与える移動通信装置権限リストが構築され、前記フェムトセル基地局と前記移動通信装置とが接続された後、前記コマンドにより、前記フェムトセル基地局は、（１）前記コアネットワークが前記移動通信装置に識別要求ＮＡＳメッセージを送信するシミュレーションを行い、前記移動通信装置が前記識別要求ＮＡＳメッセージに基づいてフィードバックした前記移動通信装置の識別番号を含む識別応答ＮＡＳメッセージを受信するステップと、（２）前記移動通信装置権限リスト内に、前記移動通信装置からフィードバックされた識別番号に符合する識別内容があるか否かを検索し、前記移動通信装置からフィードバックされた識別番号に符合する識別内容が検索されたとき、前記コアネットワークに前記移動通信装置から取得した初期直接伝送メッセージを送信し、前記移動通信装置に前記コアネットワークから必要なサービスを受ける権限を与え、前記移動通信装置からフィードバックされた識別番号に符合する識別内容が検索されない場合、前記移動通信装置に接続拒否メッセージを送信するステップと、を実行することを特徴とするプロセッサ読取可能媒体が提供される。
【００２４】
また、前記フェムトセル基地局と移動通信装置とを接続する処理ステップにおいて、前記コマンドにより、前記フェムトセル基地局は、前記移動通信装置が送信した前記接続要求メッセージを受信し、受信した前記接続要求メッセージに基づき、前記移動通信装置に接続設定メッセージを送信し、前記移動通信装置からフィードバックされた接続設定完了メッセージを受信した後、前記移動通信装置と接続するステップを実行することが好ましい。
【００２５】
また、前記フェムトセル基地局と前記移動通信装置とが接続された後、前記コマンドにより、前記フェムトセル基地局は、前記移動通信装置からフィードバックされた初期直接伝送メッセージを受信して一時記憶し、前記ステップ（２）において、前記移動通信装置権限リスト内から、前記移動通信装置からフィードバックされた識別番号に符合する識別内容が検索されたとき、前記コアネットワークに、一時記憶した前記初期直接伝送メッセージを送信し、前記移動通信装置に前記フェムトセル基地局によって提供される通信カバレッジを通じ、前記コアネットワークから必要なサービスを受ける権限を与えるステップを実行することが好ましい。
【００２６】
また、前記フェムトセル基地局が前記移動通信装置からフィードバックされた初期直接伝送メッセージを受信して一時記憶した後、前記コマンドにより、前記フェムトセル基地局は、符合する識別内容が取得されない場合、一時記憶した前記初期直接伝送メッセージを消去するステップを実行することが好ましい。
【００２７】
上記課題を解決するために、本発明の第５の形態によれば、プロセッサが実行可能なコマンドを含むプロセッサ読取可能媒体であって、前記コマンドは、コアネットワーク、フェムトセル基地局および移動通信装置を含んで構築される通信ネットワーク内での操作に使用され、前記フェムトセル基地局が前記移動通信装置に前記フェムトセル基地局によって提供される通信カバレッジに滞在する権限を与えるのに使用され、前記フェムトセル基地局内には、前記フェムトセル基地局に滞在する権限を与える移動通信装置権限リストが構築され、前記コマンドにより、前記フェムトセル基地局は、（１）前記移動通信装置が送信した前記移動通信装置の識別番号を含む接続要求メッセージを受信するステップと、（２）前記移動通信装置権限リスト内に、前記移動通信装置からフィードバックされた識別番号に符合する識別内容があるか否かを検索し、前記移動通信装置からフィードバックされた識別番号に符合する識別内容が検索されたとき、前記コアネットワークに前記移動通信装置から取得した初期直接伝送メッセージを送信し、前記移動通信装置に前記コアネットワークから必要なサービスを受ける権限を与え、前記移動通信装置からフィードバックされた識別番号に符合する識別内容が検索されない場合、前記移動通信装置に接続拒否メッセージを送信するステップと、を実行することを特徴とするプロセッサ読取可能媒体が提供される。
【００２８】
また、前記フェムトセル基地局は、前記移動通信装置から送信された前記移動通信装置の識別番号を含む接続要求メッセージを受信した後、前記コマンドにより、前記移動通信装置に接続設定メッセージを送信し、前記移動通信装置から、接続設定完了メッセージおよび前記初期直接伝送メッセージがフィードバックされるのを待つステップを実行することが好ましい。
【発明の効果】
【００２９】
本発明のフェムトセル基地局が移動通信装置に滞在する権限を与える方法、そのフェムトセル基地局およびプロセッサ読取可能媒体により、フェムトセル基地局がコアネットワークに情報を伝送する前に、すでに、フェムトセル基地局が、滞在する権限を有さないユーザに対し、当該フェムトセル基地局によって提供される通信カバレッジに滞在するのを拒否しているため、コアネットワークには、如何なる情報も送信しない。これにより、従来の滞在処理過程の最後の段階で拒否を行うのと比較し、本発明では、ネットワーク資源を節約することができる上、拒否を行う時間を短縮することができ、従来技術の欠点を解決できる。
【図面の簡単な説明】
【００３０】
【図１】本発明の一実施形態によるフェムトセル基地局が移動通信装置に滞在する権限を与える方法の処理ステップを示す流れ図である。
【図２Ａ】図１のステップ２の滞在する権限の有無を判断する処理ステップを詳細に示す流れ図である。
【図２Ｂ】図１のステップ２の滞在する権限の有無を判断する処理ステップを詳細に示す流れ図である。
【図３】本発明の一実施形態によるフェムトセル基地局のシステムアーキテクチャを示すブロック図である。
【図４】本発明の一実施形態によるプロセッサ読取可能媒体の応用アーキテクチャを示すブロック図である。
【発明を実施するための形態】
【００３１】
以下、本発明の実施形態について図に基づいて説明する。なお、これによって本発明が限定されるものではない。
【００３２】
図１は、本発明の一実施形態によるフェムトセル基地局が移動通信装置に滞在する権限を与える方法の処理ステップを示す流れ図である。図１に示すように、本発明の一実施形態によるフェムトセル基地局が移動通信装置に滞在する方法は、コアネットワーク、フェムトセル基地局および移動通信装置によって構築される通信ネットワーク中に応用される。移動通信装置は、３ＧＰＰ  Ｒｅｌｅａｓｅ９９，Ｒｅｌｅａｓｅ４，Ｒｅｌｅａｓｅ５，Ｒｅｌｅａｓｅ６，Ｒｅｌｅａｓｅ７，Ｒｅｌｅａｓｅ８および後続の３Ｇに対応し、測位機能を有するＷＣＤＭＡ端末およびＴＤ−ＳＣＤＭＡ端末に適用される。それに対応して、本発明の一実施形態によるフェムトセル基地局は、３ＧＰＰ  Ｒｅｌｅａｓｅ９９、Ｒｅｌｅａｓｅ４、Ｒｅｌｅａｓｅ５、Ｒｅｌｅａｓｅ６、Ｒｅｌｅａｓｅ７、Ｒｅｌｅａｓｅ８および３Ｇに対応し、測位機能を有するＷＣＤＭＡおよびＴＤ−ＳＣＤＭＡのフェムトセルアクセスポイント／家庭用基地局に適用される。コアネットワークは、ＭＳＣ（Ｍｏｂｉｌｅ  Ｓｗｉｔｃｈｉｎｇ  Ｃｅｎｔｅｒ）およびＳＧＳＮ（Ｓｅｒｖｉｎｇ  ＧＰＲＳ  Ｓｕｐｐｏｒｔ  Ｎｏｄｅ）である。
【００３３】
ここで、本実施形態において、コアネットワーク、フェムトセル基地局および移動通信装置によって構築される通信ネットワークは、フェムトセル基地局の配置を行う自動構成サーバ（Ａｕｔｏ  Ｃｏｎｆｉｇｕｒａｔｉｏｎ  Ｓｅｒｖｅｒｓ：ＡＣＳ）をさらに含む。また、フェムトセル基地局とコアネットワークとの間は、フェムトセル基地局ゲートウェイ（Ｆｅｍｔｏｃｅｌｌ  Ａｃｃｅｓｓ  Ｐｏｉｎｔ  Ｇａｔｅｗａｙ）または家庭用基地局ゲートウェイ（Ｈｏｍｅ  ＮｏｄｅＢ  Ｇａｔｅｗａｙ）に存在する設備により、情報が相互通信される。
【００３４】
前述のフェムトセル基地局が移動通信装置に滞在する権限を与える方法は、移動通信装置が当該フェムトセル基地局によって提供される通信カバレッジに進入したとき、滞在する権限の有無を判断し、滞在するのを拒否するか、或いは、滞在する権限を与える。先ず、ステップ１を実行する。
【００３５】
ステップ１：フェムトセル基地局内に、当該フェムトセル基地局に滞在する権限を与える移動通信装置権限リストを構築する。即ち、移動通信装置権限リストには、移動通信装置がフェムトセル基地局に滞在可能であるか否かを識別するのに使用される識別内容が記憶される。本実施形態において、移動通信装置権限リストは、前述の自動構成サーバを通じて動的に配置されるか、或いは、例えば、ＳＩＭカードなどの記憶装置中に予め構築される。移動通信装置権限リストは、移動通信装置の識別番号を含む。具体的に述べると、前述の識別内容は、移動通信装置の識別番号とすることができ、識別番号は、国際移動機識別番号（Ｉｎｔｅｒｎａｔｉｏｎａｌ  Ｍｏｂｉｌｅ  Ｓｔａｔｉｏｎ  Ｉｄｅｎｔｉｔｙ：ＩＭＳＩ）である。次に、ステップ２を実行する。
【００３６】
ステップ２：フェムトセル基地局が、移動通信装置から送信された接続要求メッセージに基づき、滞在する権限の有無を判断する。滞在する権限を有すると判断した場合、ステップ３を実行する。滞在する権限を有さないと判断した場合、ステップ４を実行する。
【００３７】
ステップ３：フェムトセル基地局が、滞在する権限を有する移動通信装置に対し、当該フェムトセル基地局によって提供される通信カバレッジを通じ、コアネットワークから必要なサービスを受ける権限を与える。即ち、滞在する権限を有する移動通信装置に、当該フェムトセル基地局によって提供される通信カバレッジ内に滞在する権限を与える。本ステップにより、本実施形態のフェムトセル基地局が移動通信装置に滞在する権限を与える処理ステップが終了する。
【００３８】
ステップ４：フェムトセル基地局が、滞在する権限を有さない移動通信装置が滞在するのを拒否する。本ステップにより、本実施形態のフェムトセル基地局が移動通信装置に滞在する権限を与える処理ステップが終了する。
【００３９】
ここで、前述のステップ２における、移動通信装置から接続要求メッセージが送信されるとは、移動通信装置と検出したフェムトセル基地局とが行う滞在前のコミュニケーションのことを指す。
【００４０】
図２Ａおよび図２Ｂを参照する。図２Ａおよび図２Ｂは、図１のステップ２の滞在する権限の有無を判断する処理ステップを詳細に示す流れ図である。フェムトセル基地局内に、当該フェムトセル基地局に滞在する権限を与える移動通信装置権限リストを構築した後、ステップ２０を実行することができる。
【００４１】
ステップ２０：フェムトセル基地局が、移動通信装置から送信された接続要求（ＲＲＣ  Ｃｏｎｎｅｃｔｉｏｎ  Ｒｅｑｕｅｓｔ）メッセージを受信する。次に、ステップ２１を実行する。
【００４２】
ステップ２１：フェムトセル基地局が、受信した接続要求メッセージ内に移動通信装置の識別番号（ＩＭＳＩ）を含むか否かを解析する。含む場合、ステップ４０に進む。含まない場合、ステップ２２を実行する。
【００４３】
ステップ２２：フェムトセル基地局が、移動通信装置に接続設定（ＲＲＣ  Ｃｏｎｎｅｃｔｉｏｎ  ｓｅｔｕｐ）メッセージを送信する。次に、ステップ２３を実行する。
【００４４】
ステップ２３：フェムトセル基地局が、移動通信装置が受信した接続設定メッセージに基づいてフィードバックした接続設定完了（ＲＲＣ  Ｃｏｎｎｅｃｔｉｏｎ  Ｓｅｔｕｐ  Ｃｏｍｐｌｅｔｅ）メッセージおよび初期直接伝送（Ｉｎｉｔｉａｌ  Ｄｉｒｅｃｔ  Ｔｒａｎｓｆｅｒ）メッセージを受信する。次に、ステップ２４を実行する。
【００４５】
ステップ２４：フェムトセル基地局が、接続設定完了メッセージを受信したとき、コアネットワークが移動通信装置に識別要求（Ｉｄｅｎｔｉｔｙ  Ｒｅｑｕｅｓｔ）ＮＡＳメッセージを送信するシミュレーションを行う。次に、ステップ２５を実行する。
【００４６】
ステップ２５：移動通信装置が、識別要求ＮＡＳメッセージを受信した後、識別応答（Ｉｄｅｎｔｉｔｙ  Ｒｅｓｐｏｎｓｅ）ＮＡＳメッセージをフィードバックする。このとき、識別応答ＮＡＳメッセージ内に移動通信装置の識別番号（ＩＭＳＩ）を付帯させる。次に、ステップ２６を実行する。
【００４７】
ステップ２６：フェムトセル基地局が、移動通信装置からフィードバックされた識別要求ＮＡＳメッセージ中の識別番号（ＩＭＳＩ）に基づき、移動通信装置権限リスト内から、当該識別番号（ＩＭＳＩ）を検索する。次に、ステップ２７を実行する。
【００４８】
ステップ２７：フェムトセル基地局が、移動通信装置権限リスト内から、移動通信装置からフィードバックされた識別番号（ＩＭＳＩ）に符合する識別番号が検索されたか否かを判断する。移動通信装置権限リスト内から、符合する識別番号（ＩＭＳＩ）が検索された場合、ステップ２８を実行する。移動通信装置権限リスト内から、符合する識別番号が検索されなかった場合、ステップ３１を実行する。
【００４９】
ステップ２８：フェムトセル基地局が、移動通信装置が滞在する権限を有すると判断したため、一時記憶された初期直接伝送メッセージをコアネットワークに送信する。次に、ステップ２９を実行する。
【００５０】
ステップ２９：コアネットワークが、前述のフェムトセル基地局が送信した初期直接伝送メッセージを受信した後、移動通信装置に滞在成功（Ｌｏｃａｔｉｏｎ  Ｕｐｄａｔｅ  Ａｃｃｅｐｔ／Ａｔｔａｃｈ  Ａｃｃｅｐｔ）メッセージを送信する。次にステップ３０を実行する。
【００５１】
ステップ３０：フェムトセル基地局が、滞在する権限を有する移動通信装置に、当該フェムトセル基地局によって提供される通信カバレッジを通じ、コアネットワークから必要なサービスを受ける権限を与える。本ステップにより、本実施形態のフェムトセル基地局が移動通信装置に滞在する権限を与える処理ステップが終了する。
【００５２】
ステップ３１：フェムトセル基地局が移動通信装置権限リスト内から、移動通信装置からフィードバックされた識別番号（ＩＭＳＩ）に符合する識別番号を検索していないため、フェムトセル基地局が、移動通信装置に接続拒否（ＲＲＣ  Ｃｏｎｎｅｃｔｉｏｎ  Ｒｅｊｅｃｔ）メッセージを送信する。次に、ステップ３２を実行する。具体的な実施方式は、フェムトセル基地局が、ＲＲＣ接続解放（ＲＲＣ  Ｃｏｎｎｅｎｔｉｏｎ  Ｒｅｌｅａｓｅ）メッセージを送信することによって、移動通信装置が滞在するのを拒否し、拒否理由を混雑（Ｃｏｎｇｅｓｔｉｏｎ）とする。即ち、接続拒否メッセージは、ネットワーク混雑メッセージである。しかし、これのみに限定されず、移動通信装置権限リスト内に識別番号（ＩＭＳＩ）がない場合（即ち、識別番号（ＩＭＳＩ）が滞在する権限を有さない場合）、拒否メッセージは、他のメッセージを採用することができる。即ち、拒否メッセージの理由は、他の理由でもよい。
【００５３】
ステップ３２：接続拒否メッセージを受信した移動通信装置が、他のフェムトセル基地局によって提供される通信カバレッジを新たに選択する上、滞在を試みる。また、選択されたフェムトセル基地局は、前述のステップ２０の処理を再び実行する。
【００５４】
前述のステップ２１において、フェムトセル基地局が、接続要求メッセージ内に移動通信装置の識別番号（ＩＭＳＩ）を含むことを解析した場合、ステップ４０を実行する。
【００５５】
ステップ４０：移動通信装置権限リスト内から、識別番号（ＩＭＳＩ）を検索する。次に、ステップ４１を実行する。
【００５６】
ステップ４１：フェムトセル基地局が、移動通信装置権限リスト内から、移動通信装置からフィードバックされた識別番号（ＩＭＳＩ）に符合する識別番号が検索されたか否かを判断する。移動通信装置権限リスト内から、符合する識別番号（ＩＭＳＩ）が検索された場合、ステップ４４を実行する。移動通信装置権限リスト内から、符合する識別番号が検索されなかった場合、ステップ４２を実行する。
【００５７】
ステップ４２：フェムトセル基地局が移動通信装置権限リスト内から、移動通信装置からフィードバックされた識別番号（ＩＭＳＩ）に符合する識別番号を検索していないため、フェムトセル基地局が、移動通信装置に接続拒否（ＲＲＣ  Ｃｏｎｎｅｃｔｉｏｎ  Ｒｅｊｅｃｔ）メッセージを送信する。次に、ステップ４３を実行する。
【００５８】
ステップ４３：接続拒否メッセージを受信した移動通信装置が、他のフェムトセル基地局によって提供される通信カバレッジを新たに選択する上、滞在を試みる。また、選択されたフェムトセル基地局は、前述のステップ２０の処理を再び実行する。
【００５９】
上述のステップ４１において、フェムトセル基地局が、移動通信装置からフィードバックされた識別番号（ＩＭＳＩ）に符合する識別番号を検索した場合、ステップ４４を実行する。
【００６０】
ステップ４４：フェムトセル基地局が、移動通信装置に接続設定（ＲＲＣ  Ｃｏｎｎｅｃｔｉｏｎ  ｓｅｔｕｐ）メッセージを送信する。次に、ステップ４５を実行する。
【００６１】
ステップ４５：フェムトセル基地局が、移動通信装置が受信した接続設定メッセージに基づいてフィードバックした接続設定完了（ＲＲＣ  Ｃｏｎｎｅｃｔｉｏｎ  Ｓｅｔｕｐ  Ｃｏｍｐｌｅｔｅ）メッセージおよび初期直接伝送（Ｉｎｉｔｉａｌ  Ｄｉｒｅｃｔ  Ｔｒａｎｓｆｅｒ）メッセージを受信する。次に、ステップ４６を実行する。
【００６２】
ステップ４６：フェムトセル基地局が、移動通信装置からフィードバックされた初期直接伝送メッセージをコアネットワークに送信する。次に、ステップ４７を実行する。
【００６３】
ステップ４７：コアネットワークが、前述のフェムトセル基地局が送信した初期直接伝送メッセージを受信した後、移動通信装置に滞在成功（Ｌｏｃａｔｉｏｎ  Ｕｐｄａｔｅ  Ａｃｃｅｐｔ／Ａｔｔａｃｈ  Ａｃｃｅｐｔ）メッセージを送信する。次にステップ４８を実行する。
【００６４】
ステップ４８：フェムトセル基地局が、滞在する権限を有する移動通信装置に、当該フェムトセル基地局によって提供される通信カバレッジを通じ、コアネットワークから必要なサービスを受ける権限を与える。本ステップにより、本実施形態のフェムトセル基地局が移動通信装置に滞在する権限を与える処理ステップが終了する。
【００６５】
上述の説明から分かるように、本発明のフェムトセル基地局が移動通信装置に滞在する権限を与える方法において、前述の移動通信装置がフェムトセル基地局に送信する接続要求メッセージは、識別番号（ＩＭＳＩ）を含んでも含まなくてもよい。例えば、図２Ａおよび図２Ｂのステップ２２からステップ３２に示す処理ステップは、移動通信装置が送信する接続要求メッセージに識別番号を含まない状況で実行される。一方、図２Ａおよび図２Ｂのステップ４０からステップ４３に示す処理ステップは、移動通信装置が送信する接続要求メッセージに識別番号を含む状況で実行される。また、フェムトセル基地局は、識別番号を含む接続要求メッセージを受信した後、滞在する権限の有無を判断することができ、識別番号を含む接続要求メッセージを送信した移動通信装置と接続する前に、滞在する権限を有さない移動通信装置に対し、滞在を拒否することができる。これにより、フェムトセル基地局とコアネットワークとの間で滞在情報の伝送処理を行わなくてよい上、フェムトセル基地局と移動通信装置との間の接続情報の伝送処理も省略できるため、拒否を行う時間を短縮することができる。
【００６６】
また、図２Ａおよび図２Ｂに示すステップ２２からステップ３２に示す処理ステップにおいて、フェムトセル基地局と移動通信装置とが接続された後、滞在する権限の有無を判断するが、フェムトセル基地局は、接続要求メッセージを送信した移動通信装置が滞在する権限を有さないことを確認した後、移動通信装置が送信した初期直接伝送メッセージを消去する。これにより、フェムトセル基地局は、コアネットワークとコミュニケーションを行う前に、滞在する権限を有さない移動通信装置を拒否することができる。即ち、コアネットワークは、フェムトセル基地局から、滞在する権限を有さない移動通信装置に関する如何なる情報も受信しないため、ネットワーク資源を有効に節約することができる。
【００６７】
図３を参照する。図３は、上述のフェムトセル基地局が移動通信装置に滞在する権限を与える方法を実現するための、本発明の一実施形態によるフェムトセル基地局のシステムアーキテクチャを示すブロック図である。本実施形態のフェムトセル基地局１は、メモリユニット１０、プロセッサ１１およびバッファ１２を含む。フェムトセル基地局１は、移動通信装置２に対し、滞在する権限の有無を判断し、移動通信装置２がフェムトセル基地局１によって提供される通信カバレッジに滞在するのを拒否するか、或いは、移動通信装置２に通信カバレッジに滞在する権限を与える。
【００６８】
メモリユニット１０には、フェムトセル基地局１に滞在可能な移動通信装置２に権限を与える移動通信装置権限リスト１００が記憶される。移動通信装置権限リスト１００は、識別内容を含み、本実施形態における識別内容は、移動通信装置２の識別番号とすることができる。
【００６９】
プロセッサ１１は、受信した移動通信装置２が送信した接続要求メッセージに基づき、移動通信装置２と接続する。また、コアネットワーク３が、接続する移動通信装置２に識別要求ＮＡＳメッセージを送信するシミュレーションを行い、移動通信装置２からフィードバックされた移動通信装置２の識別番号を含む識別応答ＮＡＳメッセージを受信する。また、識別番号に基づき、移動通信装置権限リスト１００内を検索し、移動通信装置２からフィードバックされた識別番号に符合する識別内容が検索されたとき、移動通信装置２に通信カバレッジに滞在する権限を与える。移動通信装置２からフィードバックされた識別番号に符合する識別内容が検索されない場合、移動通信装置２が通信カバレッジに滞在するのを拒否する。
【００７０】
バッファ１２には、接続した移動通信装置２によって提供された初期直接伝送メッセージ１２０が一時記憶される。具体的に述べると、プロセッサ１１が移動通信装置２に通信カバレッジに滞在する権限を与えるとき、移動通信装置２に必要なサービスを提供するコアネットワーク３に、初期直接伝送メッセージ１２０を送信する。一方、移動通信装置２が通信カバレッジに滞在するのを拒否するとき、バッファ１２内に一時記憶された初期直接伝送メッセージ１２０を消去する。
【００７１】
このほか、本発明は、プロセッサが実行可能なコマンドを含むプロセッサ読取可能媒体をさらに提供する。図４は、本発明の一実施形態によるプロセッサ読取可能媒体の応用アーキテクチャを示すブロック図である。プロセッサ読取可能媒体１３は、例えば、メモリーまたはハードディスクなどの外部記憶装置である。プロセッサ読取可能媒体１３には、プロセッサが実行するコマンドが記憶される。コマンドは、コアネットワーク３、フェムトセル基地局１’および移動通信装置２を含んで構築される通信ネットワーク内での操作に使用され、前述のフェムトセル基地局が移動通信装置に滞在する権限を与える方法を実現する。
【００７２】
上述のように、本発明のフェムトセル基地局が移動通信装置に滞在する権限を与える方法、そのフェムトセル基地局およびプロセッサ読取可能媒体は、フェムトセル基地局内に、当該フェムトセルに滞在する権限を与える移動通信装置権限リストが構築される。また、フェムトセル基地局によって、コアネットワークが識別要求ＮＡＳメッセージを送信するシミュレーションが行われることにより、移動通信装置の識別番号が取得される。本発明では、フェムトセル基地局がコアネットワークと情報伝送関係を構築する前に、すでに、滞在する権限を有さないユーザを拒否しているため、コアネットワークには、如何なる情報も送信しない。これにより、従来の滞在処理過程の最後の段階で拒否を行うのと比較し、本発明では、ネットワーク資源を節約することができる上、拒否を行う時間を短縮することができる。さらに、フェムトセル基地局とコアネットワークとの間で、移動通信装置の滞在情報が一致しないという問題が発生することがない。
【００７３】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００７４】
１  フェムトセル基地局
１’  フェムトセル基地局
２  移動通信装置
３  コアネットワーク
１０  メモリユニット
１１  プロセッサ
１２  バッファ
１３  プロセッサ読取可能媒体
１００  移動通信装置権限リスト
１２０  初期直接伝送メッセージ
【図１】
2011217338.tif 000003
【図２Ａ】
2011217338.tif 000004
【図２Ｂ】
2011217338.tif 000005
【図３】
2011217338.tif 000006
【図４】
2011217338.tif 000007